【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】  無線電話モードと情報配信システムからのサービス情報を内蔵する記憶装置に格納する受信モードとを設定可能な装置本体と、
該装置本体に取り外し可能に接続され、該記憶装置に格納された該サービス情報の聴取モードを設定可能とするリモートコントローラと、
該リモートコントローラに接続されるイヤホーンと
を備え、
該装置本体は、入力操作を受付ける入力装置と無線通信装置とスピーカとマイクロホンと表示装置と該記憶装置と制御装置と
を備え、
該制御装置は、該リモートコントローラからの聴取モードの指示操作により、該記憶装置に格納されているサービス情報を再生して該イヤホーンに供給し、該聴取モード中に、該無線通信装置を介して電話呼び出しがあった場合には、該記憶装置の再生を一時中断する
ことを特徴とする携帯型通信端末装置。
【請求項２】  無線電話モードと情報配信システムからのサービス情報を内蔵する記憶装置に格納する受信モードとを設定可能な装置本体と、
該装置本体に取り外し可能に接続され、該記憶装置に格納された該サービス情報の聴取モードを設定可能とするリモートコントローラと、
該リモートコントローラに接続されるイヤホーンと
を備え、
該装置本体は、入力操作を受付ける入力装置と無線通信装置とスピーカと第１のマイクロホンと表示装置と該記憶装置と制御装置とを備え、
該リモートコントローラは、第２のマイクロホンと聴取モードを設定する再生／一時停止スイッチと通話キーとを備え、
該制御装置は、該再生／一時停止スイッチの聴取モードの指示操作を受け付けて、該記憶装置に格納されているサービス情報を再生して該イヤホーンに供給し、該聴取モード中に、該無線通信装置を介して電話呼び出しがあった場合には、該記憶装置の再生を一時中断し、該通話キーの操作を受け付けて、該イヤホーン及び該第２のマイクロホンを介しての通話を可能とする
ことを特徴とする携帯型通信端末装置。
【請求項３】  請求項１または２において、
前記制御装置は、前記記憶装置の再生を一時中断する際には、該再生中断時での前記記憶装置のアドレスを停止位置マークとして記憶させ、前記リモートコントローラから再度の聴取モードの指示操作により、前記停止位置マークから再生を開始する
ことを特徴とする携帯型通信端末装置。
【請求項４】  請求項３において、
前記リモートコントローラは、前記記憶装置に格納されたサービス情報のタイトルを表示するための表示部と、前記サービス情報を選択するための選択キーとを備えたことを特徴とする携帯型通信端末装置。
【請求項５】  請求項３において、
前記リモートコントローラに、伝言モードの設定手段と相手方のメッセージを記録保存する手段を設け、
前記聴取モード中でかつ伝言モードが設定された状態では、前記無線通信装置を介して電話呼び出しがあった場合には、相手方のメッセージを前記記録保存する手段に記録保存し、前記聴取モードを継続する
ことを特徴とする携帯型通信端末装置。
【請求項６】  無線電話モードと情報配信システムからのサービス情報の受信モードとを設定可能な装置本体と、
該装置本体に取り外し可能に接続され、該装置本体で受信された該サービス情報の聴取モードを設定可能とするリモートコントローラと、
該リモートコントローラに接続されるイヤホーンと、該リモートコントローラに着脱可能に設けられる記憶装置と
を備え、
該装置本体は、入力操作を受付ける入力装置と無線通信装置とスピーカとマイクロホンと表示装置と制御装置とを備え、
該リモートコントローラは、該記憶装置を制御する第２の制御装置と該第２のマイクロホンと聴取モードを設定する再生／一時停止スイッチと通話キーとを備え、
該第２の制御装置は、該再生／一時停止スイッチの聴取モードの指示操作を受け付けて、該記憶装置に格納されているサービス情報を再生して該イヤホーンに供給し、該聴取モード中に、該無線通信装置を介して電話呼び出しがあった場合には、該記憶装置の再生を一時中断し、該通話キーの操作を受け付けて、該イヤホーン及び該第２のマイクロホンを介しての通話を可能とする
ことを特徴とする携帯型通信端末装置。
【請求項７】  請求項６において、
前記第２の制御装置は、前記記憶装置の再生を一時中断する際には、該再生中断時での前記記憶装置のアドレスを停止位置マークとして記憶させ、再度の聴取モードの指示操作により、前記停止位置マークから再生を開始する
ことを特徴とする携帯型通信端末装置。
【請求項８】  請求項７において、
前記リモートコントローラは、前記記憶装置に格納されたサービス情報のタイトルを表示するための表示部と前記サービス情報を選択するための選択キーとを備えていることを特徴とする携帯型通信端末装置。
【請求項９】  請求項８において、
前記リモートコントローラに、伝言モードの設定手段と相手方のメッセージを記録保存する手段を設け、
前記聴取モード中でかつ伝言モードが設定された状態では、前記無線通信装置を介して電話呼び出しがあった場合には、相手方のメッセージを前記記録保存する手段に記録保存し、前記聴取モードを継続する
ことを特徴とする携帯型通信端末装置。
【手続補正２】
【補正対象書類名】明細書
【補正対象項目名】００１２
【補正方法】変更
【補正の内容】
【００１２】
【課題を解決するための手段】
上記目的を達成するために、本発明は、無線電話モードと情報配信システムからのサービス情報を内蔵する記憶装置に格納する受信モードとを設定可能な装置本体と、装置本体に取り外し可能に接続され、該記憶装置に格納されたサービス情報の聴取モードを設定可能とするリモートコントローラと、リモートコントローラに接続されるイヤホーンとを備え、装置本体には、入力操作を受け付ける入力装置と、無線通信装置と、スピーカと、マイクロホンと、表示装置と、記憶装置と、制御装置とを備え、制御装置は、リモートコントローラからの聴取モードの指示操作により、記憶装置に格納されているサービス情報を再生してイヤホーンに供給し、この聴取モード中に、無線通信装置を介して電話呼び出しがあった場合には、記憶装置の再生を一時中断する。
【手続補正３】
【補正対象書類名】明細書
【補正対象項目名】００１３
【補正方法】変更
【補正の内容】
【００１３】
また、本発明は、無線電話モードと情報配信システムからのサービス情報を内蔵する記憶装置に格納する受信モードとを設定可能な装置本体と、装置本体に取り外し可能に接続され、該記憶装置に格納されたサービス情報の聴取モードを設定可能とするリモートコントローラと、リモートコントローラに接続されるイヤホーンとを備え、装置本体には、入力操作を受付ける入力装置と、無線通信装置と、スピーカと、第１のマイクロホンと、表示装置と、記憶装置と、制御装置とを備え、リモートコントローラは、第２のマイクロホンと、聴取モードを設定する再生／一時停止スイッチと、通話キーとを備え、制御装置は、再生／一時停止スイッチの聴取モードの指示操作を受け付けて、記憶装置に格納されているサービス情報を再生してイヤホーンに供給し、この聴取モード中に、無線通信装置を介して電話呼び出しがあった場合には、記憶装置の再生を一時中断し、通話キーの操作を受け付けて、イヤホーン及び第２のマイクロホンを介しての通話を可能とする。
【手続補正４】
【補正対象書類名】明細書
【補正対象項目名】００１４
【補正方法】変更
【補正の内容】
【００１４】
また、本発明は、無線電話モードと情報配信システムからのサービス情報の受信モードとを設定可能な装置本体と、装置本体に取り外し可能に接続され、装置本体で受信された該サービス情報の聴取モードを設定可能とするリモートコントローラと、リモートコントローラに接続されるイヤホーンと、リモートコントローラに着脱可能に設けられる記憶装置とを備え、装置本体には、入力操作を受付ける入力装置と、無線通信装置と、スピーカと、マイクロホンと、表示装置と、制御装置とを備え、リモートコントローラは、記憶装置を制御する第２の制御装置と、第２のマイクロホンと、聴取モードを設定する再生／一時停止スイッチと、通話キーとを備え、第２の制御装置は、再生／一時停止スイッチの聴取モードの指示操作を受け付けて、記憶装置に格納されているサービス情報を再生してイヤホーンに供給し、この聴取モード中に、無線通信装置を介して電話呼び出しがあった場合には、記憶装置の再生を一時中断し、通話キーの操作を受け付けて、イヤホーン及び第２のマイクロホンを介しての通話を可能とする。
【手続補正５】
【補正対象書類名】明細書
【補正対象項目名】００１５
【補正方法】変更
【補正の内容】
【００１５】
また、本発明は、制御装置が、記憶装置の再生を一時中断する際には、この再生中断時での記憶装置のアドレスを停止位置マークとして記憶させ、リモートコントローラから再度の聴取モードの指示操作により、停止位置マークから再生を開始する。さらに、この場合、リモートコントローラは、記憶装置に格納されたサービス情報のタイトルを表示するための表示部と、サービス情報を選択するための選択キーを備えている。さらに、リモートコントローラに伝言モードの設定手段と、相手方のメッセージを記録保存する手段を設け、聴取モード中でかつ伝言モードが設定された状態では、無線通信装置を介して電話呼び出しがあった場合には、相手方のメッセージを記録保存する手段に記録保存し、聴取モードを継続する。